【手続補正書】
【提出日】平成17年6月13日(2005.6.13)
【手続補正１】
【補正対象書類名】明細書
【補正対象項目名】特許請求の範囲
【補正方法】変更
【補正の内容】
【特許請求の範囲】
【請求項１】
格納された印刷ジョブをプレビュー表示する印刷制御装置における印刷制御方法であって、
入力された印刷ジョブを、設定されたレイアウト情報と関連付けて一時的に格納する格納工程と、
前記格納工程で格納されているレイアウト情報に基づいて前記印刷ジョブの論理ページの画像オブジェクトのプレビュー画像を表示領域に表示するプレビュー表示工程と、
前記プレビュー表示工程で表示された印刷ジョブに関連付けられている前記設定されたレイアウト情報に応じて論理ページ数及び物理ページ数のうち一方のページ表示方法を選択し、選択されたページ表示方法で、当該印刷ジョブに係るページ数をプレビュー画像とともに表示するページ数表示工程と
を備えることを特徴とする印刷制御方法。
【請求項２】
前記ページ数として、レイアウトとして製本印刷が指定されている場合には、前記ページ数表示工程は、論理ページのページ表示方法を選択し、印刷ジョブに含まれるページ区切りに従った論理ページ数を数え、該論理ページ数を表示することを特徴とする請求項１に記載の印刷制御方法。
【請求項３】
前記ページ数として、レイアウトとして製本印刷が指定されていない場合には、前記ページ数表示工程は、物理ページのページ表示方法を選択し、出力されるシートの枚数を数え、該枚数を表示することを特徴とする請求項１又は２に記載の印刷制御方法。
【請求項４】
アプリケーションにより生成された印刷文書を中間コード形式の印刷ジョブに変換する中間コード変換工程をさらに備えることを特徴とする請求項１乃至３のいずれか１項に記載の印刷制御方法。
【請求項５】
前記中間コード変換工程で変換された複数の異なる印刷ジョブを結合して、１つの結合印刷ジョブを生成する結合工程を更に備え、
前記プレビュー表示工程は、前記結合工程で生成された該結合印刷ジョブに含まれる複数の印刷ジョブのそれぞれのレイアウト情報に基づいて各印刷ジョブの論理ページの画像オブジェクトが各物理ページにレイアウトされているプレビュー画像を表示領域に表示することを特徴とする請求項４に記載の印刷制御方法。
【請求項６】
製本印刷が指定されている場合、前記プレビュー表示した通りの順序となるように、印刷装置により前記印刷データを印刷させる印刷工程をさらに備えることを特徴とする請求項１に記載の印刷制御方法。
【請求項７】
格納された印刷ジョブをプレビュー表示する印刷制御装置における印刷制御装置であって、
入力された印刷ジョブを、設定されたレイアウト情報と関連付けて一時的に格納する格納手段と、
前記格納手段で格納されているレイアウト情報に基づいて前記印刷ジョブの論理ページの画像オブジェクトのプレビュー画像を表示領域に表示するプレビュー表示手段と、
前記プレビュー表示手段で表示された印刷ジョブに関連付けられている前記設定されたレイアウト情報に応じて論理ページ数及び物理ページ数のうち一方のページ表示方法を選択し、選択されたページ表示方法で、当該印刷ジョブに係るページ数をプレビュー画像とともに表示するページ数表示手段と
を備えることを特徴とする印刷制御装置。
【請求項８】
前記ページ数として、レイアウトとして製本印刷が指定されている場合には、前記ページ数表示手段は、論理ページのページ表示方法を選択し、印刷ジョブに含まれるページ区切りに従った論理ページ数を数え、該論理ページ数を表示することを特徴とする請求項７に記載の印刷制御装置。
【請求項９】
前記ページ数として、レイアウトとして製本印刷が指定されていない場合には、前記ページ数表示手段は、物理ページのページ表示方法を選択し、出力されるシートの枚数を数え、該枚数を表示することを特徴とする請求項７又は８に記載の印刷制御装置。
【請求項１０】
アプリケーションにより生成された印刷文書を中間コード形式の印刷ジョブに変換する中間コード変換手段をさらに備えることを特徴とする請求項７乃至９のいずれか１項に記載の印刷制御装置。
【請求項１１】
前記中間コード変換手段で変換された複数の異なる印刷ジョブを結合して、１つの結合印刷ジョブを生成する結合手段を更に備え、
前記プレビュー表示手段は、前記結合手段で生成された該結合印刷ジョブに含まれる複数の印刷ジョブのそれぞれのレイアウト情報に基づいて各印刷ジョブの論理ページの画像オブジェクトが各物理ページにレイアウトされているプレビュー画像を表示領域に表示することを特徴とする請求項１０に記載の印刷制御装置。
【請求項１２】
製本印刷が指定されている場合、前記プレビュー表示した通りの順序となるように、印刷装置により前記印刷データを印刷させる印刷手段をさらに備えることを特徴とする請求項７に記載の印刷制御装置。
【請求項１３】
コンピュータを、
入力された印刷ジョブを、設定されたレイアウト情報と関連付けて一時的に格納する格納手段と、
前記格納手段で格納されているレイアウト情報に基づいて前記印刷ジョブの論理ページの画像オブジェクトのプレビュー画像を表示領域に表示するプレビュー表示手段と、
前記プレビュー表示手段で表示された印刷ジョブに関連付けられている前記設定されたレイアウト情報に応じて論理ページ数及び物理ページ数のうち一方のページ表示方法を選択し、選択されたページ表示方法で、当該印刷ジョブに係るページ数をプレビュー画像とともに表示するページ数表示手段と
して機能させるためのプログラムを記録したことを特徴とするコンピュータ可読記録媒体。
【請求項１４】
前記ページ数として、レイアウトとして製本印刷が指定されている場合には、前記ページ数表示手段は、論理ページのページ表示方法を選択し、印刷ジョブに含まれるページ区切りに従った論理ページ数を数え、該論理ページ数を表示することを特徴とする請求項１３に記載のコンピュータ可読記録媒体。
【請求項１５】
前記ページ数として、レイアウトとして製本印刷が指定されていない場合には、前記ページ数表示手段は、物理ページのページ表示方法を選択し、出力されるシートの枚数を数え、該枚数を表示することを特徴とする請求項１３又は１４に記載のコンピュータ可読記録媒体。
【請求項１６】
前記プログラムは、アプリケーションにより生成された印刷文書を中間コード形式の印刷ジョブに変換する中間コード変換手段としてコンピュータをさらに機能させることを特徴とする請求項１３乃至１５のいずれか１項に記載のコンピュータ可読記録媒体。
【請求項１７】
前記プログラムは、前記中間コード変換手段で変換された複数の異なる印刷ジョブを結合して、１つの結合印刷ジョブを生成する結合手段としてコンピュータをさらに機能させ、
前記プレビュー表示手段は、前記結合手段で生成された該結合印刷ジョブに含まれる複数の印刷ジョブのそれぞれのレイアウト情報に基づいて各印刷ジョブの論理ページの画像オブジェクトが各物理ページにレイアウトされているプレビュー画像を表示領域に表示することを特徴とする請求項１６に記載のコンピュータ可読記録媒体。
【請求項１８】
前記プログラムは、製本印刷が指定されている場合、前記プレビュー表示した通りの順序となるように、印刷装置により前記印刷データを印刷させる印刷手段としてコンピュータをさらに機能させることを特徴とする請求項１３に記載のコンピュータ可読記録媒体。
【手続補正２】
【補正対象書類名】明細書
【補正対象項目名】０００７
【補正方法】変更
【補正の内容】
【０００７】
【課題を解決するための手段】
上記目的を達成するために本発明は次のような構成からなる。すなわち、格納された印刷ジョブをプレビュー表示する印刷制御装置における印刷制御方法であって、入力された印刷ジョブを、設定されたレイアウト情報と関連付けて一時的に格納する格納工程と、前記格納工程で格納されているレイアウト情報に基づいて前記印刷ジョブの論理ページの画像オブジェクトのプレビュー画像を表示領域に表示するプレビュー表示工程と、前記プレビュー表示工程で表示された印刷ジョブに関連付けられている前記設定されたレイアウト情報に応じて論理ページ数及び物理ページ数のうち一方のページ表示方法を選択し、選択されたページ表示方法で、当該印刷ジョブに係るページ数をプレビュー画像とともに表示するページ数表示工程とを備える。
【手続補正３】
【補正対象書類名】明細書
【補正対象項目名】０００８
【補正方法】変更
【補正の内容】
【０００８】
また好ましくは、前記ページ数として、レイアウトとして製本印刷が指定されている場合には、前記ページ数表示工程は、論理ページのページ表示方法を選択し、印刷ジョブに含まれるページ区切りに従った論理ページ数を数え、該論理ページ数を表示する。
【手続補正４】
【補正対象書類名】明細書
【補正対象項目名】０００９
【補正方法】変更
【補正の内容】
【０００９】
また好ましくは、前記ページ数として、レイアウトとして製本印刷が指定されていない場合には、前記ページ数表示工程は、物理ページのページ表示方法を選択し、出力されるシートの枚数を数え、該枚数を表示する。
【手続補正５】
【補正対象書類名】明細書
【補正対象項目名】００１０
【補正方法】変更
【補正の内容】
【００１０】
また好ましくは、アプリケーションにより生成された印刷文書を中間コード形式の印刷ジョブに変換する中間コード変換工程をさらに備える。
【手続補正６】
【補正対象書類名】明細書
【補正対象項目名】００１１
【補正方法】変更
【補正の内容】
【００１１】
また好ましくは、前記中間コード変換工程で変換された複数の異なる印刷ジョブを結合して、１つの結合印刷ジョブを生成する結合工程を更に備え、前記プレビュー表示工程は、前記結合工程で生成された該結合印刷ジョブに含まれる複数の印刷ジョブのそれぞれのレイアウト情報に基づいて各印刷ジョブの論理ページの画像オブジェクトが各物理ページにレイアウトされているプレビュー画像を表示領域に表示する。